【事件の表示】
　平成　９年特許願第５２４２７６号「ホースカップリング装置」拒絶査定不服審判事件〔平成　９年　７月１０日国際公開、ＷＯ９７／２４５４５、平成１２年　３月　７日国内公表、特表２０００−５０２７８１〕について、次のとおり審決する。
【結　論】
　本件審判の請求は、成り立たない。
【理　由】
１．手続の経緯
　本願は、１９９６年１２月２７日（パリ条約による優先権主張１９９６年１月２日、スウェーデン国）を国際出願日とする出願であって、平成１８年９月２１日付で拒絶査定がなされ、これに対し、同年１２月２７日に拒絶査定に対する審判請求がなされると共に、平成１９年１月２６日付で手続補正書が提出されたものである。
　
２．平成１９年１月２６日付手続補正書による補正（以下、「本件補正」という。）についての補正却下の決定
［補正却下の決定の結論］
　本件補正を却下する。
　
［理由］
（１）補正後の本願の発明
　本件補正により、特許請求の範囲の請求項１は、
「相互に接続可能な雄型部品（１１、１６、２１、２６）と雌型部品（
１、１８）とを有するホースカップリング装置において、
　前記雌型部品（１、１８）はスリーブ（２）からなり、
　前記スリーブは、等しい間隔を隔てて配置される関係の下で当該スリーブ（２）の内壁（３）に沿って当該スリーブ（２）の開口部（５）から離れる方向に延伸すると共に内壁（３）から内方に向けて突出する多数の弾性舌部（４）を備え、
　前記スリーブは、
弾性の材料からなる
　複数の弾性舌部（４）をスリーブ（２）の内方に向けて
弾性的に
圧縮された
　雄型部品（１１、１２、２１、２６）は、例えばチューブ（１４）あるいはホース（８）に接続可能な管部からなり、
　前記管部は、その外壁（１２）に、雌型部品のスリーブ（２）における弾性舌部（４）の数に対応した多数の横エッジ（１３、２９）を備え、
　雄型部品（１１、１６、２１、２６）が雌型部品（１、１８）の中に挿入されたときには、前記複数の弾性舌部（４）が雄型部品（１１、１６、２１、２６）の横エッジ（１３、２９）の後ろに弾性的に係合するように配置され、複数の弾性舌部（４）が横エッジ（１３、２９）から離れる横方向のポジションをとる位置に雌型部品（１、１８）および雄型部品（１１、１６、２１、２６）が互いに相対的に周方向に回されると、雌型部品（１、１８）と雄型部品（１１、１６、２１、２６）との引き抜きが許容されることを特徴とするホースカップリング装置。」
と補正された。
　
　上記補正は、請求項１に記載した発明を特定するために必要な事項である「ホース」について「弾性の材料からなる」との限定を付加し、同じく「弾性舌部」について「スリーブの内方に向けて押し付け」を「スリーブの内方に向けて弾性的に押し付け」と限定し、さらに「ホース端部の材料」について「ホース端部の圧縮された材料」と限定するものであって、平成１８年改正前特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する特許法第１２６条第５項の規定に適合するか）について以下に検討する。
　
（２）引用例
（２−１）原査定の拒絶の理由に引用された特開平１−３２０３９３号公報（以下、「引用例１」という。）には、「ホース結合器」と題して、図面と共に次の事項が記載されている。
　
　・「この発明は、より詳細には第１の管状部分の先端（例えば、金属又はプラスチック製のパイプの一方の先端のニップル）と第２の管状部分の先端（例えば、可撓性のあるプラスチック製のホースの一方の先端）の間で分離ができ漏洩を防ぐ接続の創作に使用される結合器の改良に関する。」（２頁右下欄１４〜１９行）
　
　・「この発明は、管状部分の組合せ（以下、ニップルと称す）に属し、そのニップルはニップルを管状部分の先端、より詳細には可撓性のあるホースの先端に分離しかつ漏洩を防止するように接続される結合器を有し外部保持部（例えば、完全な円周の畝の形の）を具備する。結合器は、管状部分（以下、ホースと略称する）の先端内に差し込める部分が少なくとも１部にある管状接合部を備えたスリーブ状の管状結合部材を具備する。結合部材は、ニップルを受ける働きをし、管状結合部に直接又は間接に接続されニップルを結合部材の中に差し込むことにより保持部をかみ合わせるため結合部材の軸方向に傾斜したほぼくま手の形をした多くの結合部品（以下、プロングと称す）を具備する。結合器は、さらに管状接合部の外側に向かってホースの先端を駆動し放射状に分離した収縮性のある装置を具備する。管状接合部の前述部分の内径はニップルの外側で保持部の外径より若干大きい。結合部は、さらにニップルと結合部材の間に配置された環状の密閉用部品（例えば、１以上のＯ−リングすなわち密閉用ヘリのある密閉用部品）を少なくとも１つ具備する。ニップルと結合部材の双方又は一方には、密閉用部品のために環状の溝が１つある。
　プロングは可撓性があり又は可撓性とすることができ、弾力性のある材料から作られる。それは、管状接合部の前述部分がホースの中に入るとき、どちらかといえば管状接合部のほぼ軸方向に広がりホースの先端に位置する。」（３頁右下欄１行〜４頁左上欄９行）
　
　・「第１１図に示すニップル４には、環状の密閉用部品に用いる外側の溝１１と変形保持部１１ａがあり、この側面はかなり円錐台形をしており、プロング７の開放先端によりかみ合わせることができる。スリーブ２ｅの管状接合部５ｄは、展性のある材料からなる管状クランプ用部材３ｄにより囲まれており、プロング７の左端が接合部５ｄを必要とする領域を側面とし、２つの軸が内側に放射状に広がっている波形１６ａを具備している。個々のプロング７はＴ型の外形をしており、内側に曲がった部分のある管状接合部５ｄを形成している。接合部５ｄはＴ型、Ｕ型又は他の方法で等距離に配置されたスロットと部材を具備し、このスロットは内側に曲げられたプロング７を形成している。
　展性のあるクランプ用部材３ｄは、ホース１の先端がスリーブ２ｅの管状接合部５ｄから外す必要がある時は、取り外される。これにより、スリーブからニップル４を引き出すため開放先端が外側に放射状に曲がっているプロング７を着脱できる。
　スリーブ２ｅが再使用される時、例えばこのスリーブがホース１の先端又は他のホースの先端に再度取付けられる時、取り外されたクランプ用部材３ｄは、商業上可能な価格で収縮性があり第１図、第２図に関連して記載したタイプ又はそれと同等なタイプのクランプ用部材３（第１２図に示す）の代りに再び取り付けられる。クランプ用部材３は保持部１０ａとスリーブ２ｅの軸の左端の間の領域内でホース１の先端に配置される。」（８頁右下欄１行〜９頁左上欄８行）
　
　・「第１１図、第１２図に示す組合せの利点は、スリーブ２ｅの全てをホース１の内表面と密着するようにかみ合わせることができることである。これは、プロング７が管状接合部５ｄの中間部分から内側に曲がっていることによっており、すなわちこれらは、スリーブの一方の軸方向の先端又はスリーブの接合部の一方の軸方向の先端には置かれない。しかも、ホース１の先端の部材はスロット内を貫くことができ、そのスロットは内側に曲ったプロング７を囲んでおり、ホースとスリーブ２ｅの接続の信頼性を増し、とりわけホース及び相互に関連のあるスリーブが軸方向に動かないようにするという意味がある。
　この時、実質的にＴ型のプロングが好ましいのは、これによりプロングの開放端がスリーブ内にニップルの入り込みにより保持部１０又は１０ａの回りに広範囲に確実に接触するからである。これにより、保持部の損傷の可能性が軽減される。更に、実質的にＴ型のプロングの開放先端は、ニップル４がスリーブ内に完全に差し込まれているなら、保持部１０又は１０ａの内側と線状又は面対面でかなり接触している。これにより、保持部に対する損傷の可能性が減少しスリーブ内のニップルの保持がより確実になる。」（９頁左上欄９行〜同頁右上欄１２行）
　
　・「改良された組合せはこの発明の精神を発展させなくとも広く応用される。例えば、前記クランプ用部材３，３ａ，３ｃ，３ｄはクランプ用部材の他のタイプと置換えることができ、そのクランプ用部材はスリーブがホースの先端から取り外される時取り外されるようにするため、伸長性と収縮性を有しており、展性のある材料で形成される。このように、クランプ用部材は、弾力性又は展性のあるひもの束からなるストラップ又はバンド、又はワイヤを具備し、これらはホースの先端の回りに固定される。更に、第５図から第１１図に示すスリーブには、Ｔ型又はその他の方法で配置された弾力性のあるプロングがあり、そのプロングには第４図の７′に対応するノッチが付いている。第１，８，９，１０，１１図に示すニップル４のくぼみ９は、保持部１０又は１０ａと接するくぼみの一番深い部分にほぼ直角に切断した外観に示されるくぼみと置き換えることができ、これによりニップルの製造コストを軽減できるが、これは変形されたくぼみがより小さな部材をニップルの外表面から動かすことにより作ることができるからである。ニップルの変形くぼみの中での底面の傾きはプロング７又は７ａの傾きと同一又はほぼ等しくできる。」（９頁右上欄１３行〜同頁左下欄１６行）
　
　・また、第１１図（Ｆｉｇ．１１）には、相互に接続可能なニップル４からなる雄型部品とスリーブ２ｅからなる雌型部品とを有するホース結合器の構成、スリーブ２ｅの内壁に沿って当該スリーブ２ｅの開口部から離れる方向に延伸すると共に内壁から内方に向けて突出するプロング７の構成、スリーブ２ｅの周りにホース１端部を押圧することによってホース１およびスリーブ２ｅをともに保持するようにした管状クランプ用部材３ｄの配置構成、さらに、ニップル４の外壁に、スリーブ２ｅにおけるプロング７に対応したくぼみを備え、プロング７がくぼみの後ろに弾性的に係合するように配置された構成、が示されている。
　
　これらの記載事項及び図示内容を総合すると、引用例１には、次の発明（以下、「引用発明」という。）が記載されていると認めることができる。
「相互に接続可能な雄型部品と雌型部品とを有するホース結合器において、
　前記雌型部品はスリーブ２ｅからなり、
　前記スリーブ２ｅは、等距離に配置され当該スリーブ２ｅの内壁に沿って当該スリーブ２ｅの開口部から離れる方向に延伸すると共に内壁から内方に向けて突出する複数の弾力性のあるプロング７を備え、
　前記スリーブ２ｅは、可撓性のあるホース１の内表面と密着するようにかみ合わせることができ、
　スリーブ２ｅの周りにホース１端部を押圧することによってホース１およびスリーブ２ｅをともに保持するために管状クランプ用部材３ｄが配置され、
　雄型部品は、金属又はプラスチック製のパイプの一方の先端のニップル４からなり、
　前記ニップル４は、その外壁に、雌型部品のスリーブ２ｅにおける弾力性のあるプロング７に対応した環状のくぼみを備え、
　雄型部品が雌型部品の中に挿入されたときには、前記複数の弾力性のあるプロング７が雄型部品の環状のくぼみの後ろに弾性的に係合するように配置され、前記管状クランプ用部材３ｄがスリーブ２ｅから取り外されると、雌型部品から雄型部品を引き出すことができるホース結合器。」
　
（２−２）同じく、原査定の拒絶の理由に引用された特開昭６２−９３５８８号公報（以下、「引用例２」という。）には、図面と共に次の事項が記載されている。
　
　・「本発明は、作用状態で係止され、一方の管端部等が他方の管端部等を挿入するためのスリーブを備えている急速継手、例えば、流体導管を相互連結または接続短管あるいは容器接続部に連結するため、電気的なケーブル、機械部品等を相互連結するための継手に関する。」（２頁右上欄５〜１０行）
　
　・「そこで、本発明は方策を講じようとするものである。本発明の基礎とする課題は、構造が簡単であり、製作コストか安く、製作、組み立て、連結および取り外しを自動化することができる、管等のための急速継手を提供することである。」（２頁左下欄１１〜１５行）
　
　・「これによって、製作が簡単で、製作時の組み立てが迅速かつ簡単に行えるという利点がある。両管端部の連結は、係止フィンガーの曲がった端部が管端部のくぼみに係合するまで軽く圧入することによって行われる。この場合、同じ工程でその保持つばがスリーブ縁の突起に係合する。この連結工程は自動化に適している。連結工程は、係止位置から管端部を回転させ、他の管端部から軸方向に引き出すことによって行われる連結解除と同様に、工業用ロボットによって行うことかできる。それによって、例えば自動車工業におけるように、製作過程が自動的に行われる場合に、大きな合理化効果が得られる。なぜなら、流体導管等を互いに連結するためあるいは容器に連結するため、またはこの連結を解除するために、製作工程で手動操作を省略することができるからである。更に、このようにして行われた連結は、漏れがなく、形が安定していて、長手方向に摩擦的に、かつ軸方向と半径方向に錠止される。」（３頁左上欄１６行〜同頁右上欄１４行）
　
　・「第１図の上側には、第１の管端部、いわゆる差し込み管端部１が示してある。この管端部はその端領域に、係止手段としての複数のくぼみ１ａ，１ｂ（１ｃは隠れている）と、偏心的に周方向に延びる保持つば１ｄを備えている。保持つばの縁は切り込み１ｅからこの切り込みの開口部まで、異なる傾斜角度を有する。
　スリーブ２ａを備えた管端部２が前記差し込み管端部ｌに対向している。スリーブ２ａの縁は、差し込み管端部１の保持つば１ｄの切り込み１ｅのための突起２ｂを備えている。この場合、スリーブ室の側のスリーブの縁は、保持つば１ｄの縁と同じように傾斜している。
　スリーブ２ａの環状溝２ｄには、保持リング３の係止フィンガー３ａ，３ｂ，３ｃが挿入されている。この係止フィンガーは差し込み管端部１とスリーブ２ａの内室のと間の環状隙間２ｅ（第２図参照）に挿入されている。係止フィンガー３ａ，３ｂ，３ｃは、くぼみ１ａ，１ｂ，１ｃへの係止を容易にするために、その端部が差し込み管端部Ｉに向かって内側へやや曲がっている。係止フィンガー３ａ，３ｂ，３ｃの背面は薄壁状のウエブを備えている。」（３頁右上欄１８行〜同頁左下欄２０行）
　
（３）対比
　そこで、本願補正発明と引用発明とを対比すると、その機能・作用からみて、後者における「ホース結合器」が前者における「ホースカップリング装置」に相当し、以下同様に、「等距離に配置され」が「等しい間隔を隔てて配置される関係の下で」に、「弾力性のあるプロング７」が「弾性舌部」に、「可撓性のあるホース１の内表面と密着するようにかみ合わせることができ」が「弾性の材料からなるホースの端部の中に挿入自在であり」に、「管状クランプ用部材３ｄ」が「手段」に、「金属又はプラスチック製のパイプの一方の先端のニップル４」が「例えばチューブあるいはホースに接続可能な管部」に、「環状のくぼみ」が「横エッジ」に、「雌型部品から雄型部品を引き出すことができる」が「雌型部品と雄型部品との引き抜きが許容される」に、それぞれ相当している。
　また、後者の「管状クランプ用部材３ｄがスリーブ２ｅから取り外される」態様と前者の「複数の弾性舌部が横エッジから離れる横方向のポジションをとる位置に雌型部品および雄型部品が互いに相対的に周方向に回される」態様とは、「所定の操作がなされる」との概念で共通している。
　
　したがって、両者は、
「相互に接続可能な雄型部品と雌型部品とを有するホースカップリング装置において、
　前記雌型部品はスリーブからなり、
　前記スリーブは、等しい間隔を隔てて配置される関係の下で当該スリーブの内壁に沿って当該スリーブの開口部から離れる方向に延伸すると共に内壁から内方に向けて突出する多数の弾性舌部を備え、
　前記スリーブは、弾性の材料からなるホースの端部の中に挿入自在であり、
　スリーブの周りにホース端部を押圧することによってホースおよびスリーブをともに保持するために手段が配置され、
　雄型部品は、例えばチューブあるいはホースに接続可能な管部からなり、
　前記管部は、その外壁に、雌型部品のスリーブにおける弾性舌部に対応した横エッジを備え、
　雄型部品が雌型部品の中に挿入されたときには、前記複数の弾性舌部が雄型部品の横エッジの後ろに弾性的に係合するように配置され、所定の操作がなされると、雌型部品と雄型部品との引き抜きが許容されるホースカップリング装置。」
の点で一致し、以下の点で相違している。
［相違点１］
　ホースおよびスリーブをともに保持するための手段に関し、本願補正発明は、「複数の弾性舌部をスリーブの内方に向けて弾性的に押し付けて複数の弾性舌部のバネ力を増やすため、ホース端部の圧縮された材料が弾性的に複数の弾性舌部に対して押圧されるように」した構成としているのに対し、引用発明は、かかる構成が明確にされていない点。
［相違点２］
　スリーブにおける横エッジに関し、本願補正発明は、弾性舌部「の数」に対応した「多数の」ものと限定しているのに対し、引用発明は、１つの「環状のくぼみ」である点。
［相違点３］
　所定の操作に関し、本願補正発明は、「複数の弾性舌部が横エッジから離れる横方向のポジションをとる位置に雌型部品および雄型部品が互いに相対的に周方向に回される」態様とされているのに対し、引用発明は、「管状クランプ用部材がスリーブから取り外される」態様である点。
　
（４）判断
　上記相違点について以下検討する。
　
・相違点１について
　引用発明においても、スリーブの周りにホース端部を押圧することによってホースおよびスリーブをともに保持するための手段（管状クランプ用部材）が配置されている以上、該手段により、ホース端部は軸心方向（即ち、スリーブ側）に押圧されることになるため、ホース端部とスリーブとの関係は、ホース端部の圧縮された材料が弾性的にスリーブに対して押圧される状態となっているものである。
　この場合、ホース端部の圧縮された材料は、スリーブの複数の弾性舌部が設けられた各部位にも存在するため、ホース端部の材料の種類及び弾性舌部の形状等の相違に応じて、押圧される程度は異なるものの、該ホース端部の圧縮された材料が弾性的に複数の弾性舌部に対して押圧され得る状態になるものといえる。
　また、雌型部品に設けられた弾性舌部が雄型部品の横エッジの後ろに弾性的に係合することで、雌型部品と雄型部品とを係合するホースカップリング装置にあっては、安定的な係合を確保することは当然に要求されるべき課題であり、弾性舌部を内側に押圧することで係合力を高めること自体は、例えば、原査定時に提示された米国特許第４２７５９０７号明細書（２欄４２〜４６行、５欄３〜７行の記載、及びＦｉｇ１〜３、１１参照）に開示されているように、ホースカップリング装置における周知技術である。
　そうすると、引用発明において、上記の課題及び周知技術を踏まえれば、弾性舌部の係合力を高めるべく、ホース端部の圧縮された材料が弾性的に複数の弾性舌部に対して押圧される程度を高めることにより、上記相違点１に係る本願補正発明の構成とすることは、当業者が容易に想到し得たものというべきである。
　
　なお、請求人は、平成１９年１月２６日付の手続補正書（理由補充書）の５頁２０〜２４行において、引用例１の図１１には、複数のプロング７の開放先端とホース１との間にエアーギャップが存在することが明らかに示されており、ホース端部の圧縮された材料は、複数のプロング７の開放先端に対して弾性的に押圧されることがない旨の主張をしている。
　しかしながら、引用例１の図１１において、仮に、複数のプロング７の開放先端とホース１との間にエアーギャップが存在し、ホース端部の圧縮された材料が複数のプロング７の開放先端に対して弾性的に押圧されることがないとするならば、ニップル４をスリーブ２ｅから引き抜こうとした時に、プロング７は保持部１０ａにより外方に押し広げられることとなり、管状クランプ用部材３ｄが取り付けられている状態であっても、ニップル４のスリーブ２ｅからの引き出しが可能になってしまうため、ホースカップリング装置本来の目的が達成されないことになるのは明らかである。
　したがって、請求人の上記主張は到底採用できない。
　
・相違点２及び３について
　引用例２には、連結解除を迅速かつ簡単に行うために、雌型部品（「管端部２」が相当）と連結する雄型部品（「差し込み管端部１」が相当）の外壁（「端領域」が相当）に、複数の弾性舌部（「係止フィンガー３ａ、３ｂ、３ｃ」が相当）の数に対応した多数の横エッジ（「くぼみ１ａ，１ｂ，１ｃ」が相当）を備えると共に、複数の弾性舌部が横エッジから離れる横方向のポジションをとる位置に雌型部品および雄型部品が互いに相対的に周方向に回されることにより、雌型部品と雄型部品との引き抜き（「係止位置から管端部を回転させ、他の管端部から軸方向に引き出すことによって行われる連結解除」が相当）がなされるようにしたホースカップリング装置（「急速継手」が相当）が記載されている。
　連結解除の迅速性及び簡易化は、ホースカップリング装置であれば当然に要求されるべき課題であるから、かかる課題の下に、引用発明において、引用例２に記載の技術を適用し、相違点２及び３に係る本願補正発明の構成とすることは、当業者が容易に想到し得たものというべきである。
　
　そして、本願補正発明の全体構成により奏される作用効果も、引用発明、引用例２に記載の技術及び周知技術から当業者が予測し得る範囲内のものである。
　したがって、本願補正発明は、引用発明、引用例２に記載の技術及び周知技術に基いて、当業者が容易に発明をすることができたものであるから、特許法第２９条第２項の規定により特許出願の際独立して特許を受けることができないものである。
　
（５）むすび
　以上のとおりであって、本件補正は、平成１８年改正前特許法第１７条の２第５項において準用する特許法第１２６条第５項の規定に違反するものであるから、平成１８年改正前特許法第１５９条第１項の規定において読み替えて準用する同法第５３条第１項の規定により却下を免れない。
　
３．本願の発明について
　本件補正は上記のとおり却下されたので、本願の請求項１に係る発明（以下、同項記載の発明を「本願発明」という。）は、平成１７年１１月３０日付手続補正書の特許請求の範囲の請求項１に記載された事項により特定される、以下のとおりのものである。
「相互に接続可能な雄型部品（１１、１６、２１、２６）と雌型部品（
１、１８）とを有するホースカップリング装置において、
　前記雌型部品（１、１８）はスリーブ（２）からなり、
　前記スリーブは、等しい間隔を隔てて配置される関係の下で当該スリーブ（２）の内壁（３）に沿って当該スリーブ（２）の開口部（５）から離れる方向に延伸すると共に内壁（３）から内方に向けて突出する多数の弾性舌部（４）を備え、
　前記スリーブは、ホース（８）の端部の中に挿入自在であり、
　複数の弾性舌部（４）をスリーブ（２）の内方に向けて押し付けて複数の弾性舌部（４）のバネ力を増やすため、ホース端部の材料が弾性的に複数の弾性舌部（４）に対して押圧されるように、スリーブ（２）の周りにホース端部を押圧することによってホース（８）およびスリーブ（２）をともに保持するために手段（９）が配置され、
　雄型部品（１１、１２、２１、２６）は、例えばチューブ（１４）あるいはホース（８）に接続可能な管部からなり、
　前記管部は、その外壁（１２）に、雌型部品のスリーブ（２）における弾性舌部（４）の数に対応した多数の横エッジ（１３、２９）を備え、
　雄型部品（１１、１６、２１、２６）が雌型部品（１、１８）の中に挿入されたときには、前記複数の弾性舌部（４）が雄型部品（１１、１６、２１、２６）の横エッジ（１３、２９）の後ろに弾性的に係合するように配置され、複数の弾性舌部（４）が横エッジ（１３、２９）から離れる横方向のポジションをとる位置に雌型部品（１、１８）および雄型部品（１１、１６、２１、２６）が互いに相対的に周方向に回されると、雌型部品（１、１８）と雄型部品（１１、１６、２１、２６）との引き抜きが許容されることを特徴とするホースカップリング装置。」
　
（１）引用例
　原査定の拒絶の理由に引用された引用例、及び、その記載事項は、前記「２．（２）」に記載したとおりである。
　
（２）対比・判断
　本願発明は、前記「２．（１）」で検討した本願補正発明から「ホース」について「弾性の材料からなる」との限定を省き、「弾性舌部」について「スリーブの内方に向けて押し付け」を「スリーブの内方に向けて弾性的に押し付け」とする限定を省き、さらに、「ホース端部の材料」について「ホース端部の圧縮された材料」との限定を省いたものである。
　そうすると、本願発明の構成要件を全て含み、さらに他の構成要件を付加したものに相当する本願補正発明が、前記「２．（３）及び（４）」に記載したとおり、引用発明、引用例２に記載の技術及び周知技術に基いて、当業者が容易に発明をすることができたものであるから、本願発明も、同様の理由により、引用発明、引用例２に記載の技術及び周知技術に基いて、当業者が容易に発明をすることができたものである。
　
（３）むすび
　以上のとおりであるから、本願発明は、特許法第２９条第２項の規定により特許を受けることができない。
　よって、結論のとおり審決する。